【手続補正書】
【提出日】平成20年9月25日(2008.9.25)
【手続補正１】
【補正対象書類名】明細書
【補正対象項目名】特許請求の範囲
【補正方法】変更
【補正の内容】
【特許請求の範囲】
【請求項１】  無線による通信の機能を有する装置であって、
他の装置との間の無線による通信のモードを省電力モードもしくはデータを通信するためのモードに切替える通信手段と、
前記通信手段によるモードの切替に応じて、自装置のスタンバイ状態を省電力スタンバイ状態に切替える切替手段と、
前記他の装置からの装置の状態の確認に応答して、自装置の状態を該他の装置に通知する通知手段と、
前記他の装置からの装置の状態の確認を前記通知手段に通知するコマンドスルーモードか、前記他の装置に代わって自装置の状態についての確認を前記通知手段に通知するコマンドリターンモードかを、前記通信手段によるモードの切替に応じて実行する実行手段と
を有することを特徴とする装置。
【請求項２】  前記通信手段は、前記他の装置と通信する際に前記通信のモードを切替えることを特徴とする請求項１に記載の装置。
【請求項３】  前記データを通信するためのモードは、Ｂｌｕｅｔｏｏｔｈの規格のＡｃｔｉｖｅモードであり、前記省電力モードは、Ｂｌｕｅｔｏｏｔｈの規格のＰａｒｋモード、ＳｎｉｆｆモードまたはＨｏｌｄモードのいずれかであることを特徴とする請求項１又は請求項２に記載の装置。
【請求項４】  前記コマンドリターンモードは、前記通信手段により前記モードが前記省電力モードに切替えられた場合に実行されることを特徴とする請求項１乃至請求項３の何れか１項に記載の装置。
【請求項５】  前記通信手段による切替に応答して前記切替手段による切替を実行するか否かを判定する判定手段を有し、
前記実行手段は、前記判定手段による判定に応じて前記コマンドスルーモードか前記コマンドリターンモードかを実行することを特徴とする請求項１乃至請求項４の何れか１項に記載の装置。
【請求項６】  前記コマンドリターンモードは、前記通信手段により前記モードが前記省電力モードに切替えられ、かつ、前記切替手段により通常のスタンバイ状態に切替えられた場合に実行され、前記通信手段により前記モードが前記省電力モードに切替えられ、かつ、前記切替手段により省電力スタンバイ状態に切替えられた場合には実行されないことを特徴とする請求項１乃至請求項５の何れか１項に記載の装置。
【請求項７】  前記他の装置からの要求に応答して前記通信手段により省電力モードからデータを通信するためのモードに切り替えると、前記切替手段は前記省電力スタンバイ状態を止め、前記実行手段は、前記コマンドリターンモードから前記コマンドスルーモードに切替えることを特徴とする請求項１乃至請求項６の何れか１項に記載の装置。
【請求項８】  無線による通信の機能を有する装置の制御方法であって、
他の装置との間の無線による通信のモードを省電力モードもしくはデータを通信するためのモードに切替える工程と、
前記モードの切替に応じて、自装置のスタンバイ状態を省電力スタンバイ状態に切替える工程と、
前記他の装置からの装置の状態の確認に応答して、自装置の状態を該他の装置に通知するタスクに通知する工程と、
前記他の装置からの装置の状態の確認を前記タスクに通知するコマンドスルーモードか、前記他の装置に代わって自装置の状態についての確認を前記タスクに通知するコマンドリターンモードかを、前記通信のモードの切替に応じて実行する工程と
を有することを特徴とする制御方法。
【請求項９】  無線による通信の機能を有する装置の制御方法を、コンピュータが実行するためのプログラムを格納した記憶媒体であって、
前記制御方法は、
他の装置との間の無線による通信のモードを省電力モードもしくはデータを通信するためのモードに切替える工程と、
前記モードの切替に応じて、自装置のスタンバイ状態を省電力スタンバイ状態に切替える工程と、
前記他の装置からの装置の状態の確認に応答して、自装置の状態を該他の装置に通知するタスクに通知する工程と、
前記他の装置からの装置の状態の確認を前記タスクに通知するコマンドスルーモードか、前記他の装置に代わって自装置の状態についての確認を前記タスクに通知するコマンドリターンモードかを、前記通信のモードの切替に応じて実行する工程と
を有することを特徴とする記憶媒体。
【手続補正２】
【補正対象書類名】明細書
【補正対象項目名】０００９
【補正方法】変更
【補正の内容】
【０００９】
【課題を解決するための手段】
上記目的を達成するため、本発明の装置は、無線による通信の機能を有する装置であって、他の装置との間の無線による通信のモードを省電力モードもしくはデータを通信するためのモードに切替える通信手段と、前記通信手段によるモードの切替に応じて、自装置のスタンバイ状態を省電力スタンバイ状態に切替える切替手段と、前記他の装置からの装置の状態の確認に応答して、自装置の状態を該他の装置に通知する通知手段と、前記他の装置からの装置の状態の確認を前記通知手段に通知するコマンドスルーモードか、前記他の装置に代わって自装置の状態についての確認を前記通知手段に通知するコマンドリターンモードかを、前記通信手段によるモードの切替に応じて実行する実行手段とを有することを特徴とする。
【手続補正３】
【補正対象書類名】明細書
【補正対象項目名】００１０
【補正方法】変更
【補正の内容】
【００１０】
上記目的を達成するため、本発明の制御方法は、無線による通信の機能を有する装置の制御方法であって、他の装置との間の無線による通信のモードを省電力モードもしくはデータを通信するためのモードに切替える工程と、前記モードの切替に応じて、自装置のスタンバイ状態を省電力スタンバイ状態に切替える工程と、前記他の装置からの装置の状態の確認に応答して、自装置の状態を該他の装置に通知するタスクに通知する工程と、前記他の装置からの装置の状態の確認を前記タスクに通知するコマンドスルーモードか、前記他の装置に代わって自装置の状態についての確認を前記タスクに通知するコマンドリターンモードかを、前記通信のモードの切替に応じて実行する工程とを有することを特徴とする。
【手続補正４】
【補正対象書類名】明細書
【補正対象項目名】００１１
【補正方法】変更
【補正の内容】
【００１１】
さらに、上記目的を達成するため、本発明の記憶媒体は、無線による通信の機能を有する装置の制御方法を、コンピュータが実行するためのプログラムを格納した記憶媒体であって、前記制御方法は、他の装置との間の無線による通信のモードを省電力モードもしくはデータを通信するためのモードに切替える工程と、前記モードの切替に応じて、自装置のスタンバイ状態を省電力スタンバイ状態に切替える工程と、前記他の装置からの装置の状態の確認に応答して、自装置の状態を該他の装置に通知するタスクに通知する工程と、前記他の装置からの装置の状態の確認を前記タスクに通知するコマンドスルーモードか、前記他の装置に代わって自装置の状態についての確認を前記タスクに通知するコマンドリターンモードかを、前記通信のモードの切替に応じて実行する工程とを有することを特徴とする。
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】